(57)【要約】【課題】主に自動車の空調や音響機器等の操作に用いられる入力装置に関し、安価で操作の行い易いものを提供することを目的とする。【解決手段】複数の表示部１４Ａ、１４Ｂ、１４Ｃが形成された表示素子１４を跨ぐホルダー１５を設けると共に、このホルダー１５上に、各表示部の間に配置される複数のスイッチ接点６を形成することによって、他の構成部品に比べ高価な表示素子が一つですみ、装置全体を安価に形成できるため、安価で操作の行い易い入力装置を得ることができる。【選択図】図１
2009026513.tif 000002
【特許請求の範囲】
【請求項１】
上面に複数の透光部が形成された略箱型のケースと、このケースの透光部の間に上下動可能に装着された操作体と、この操作体の上下動に応じて電気的接離を行うスイッチ接点と、上記ケースの透光部に向けて複数の表示部が形成された表示素子からなり、上記表示素子を跨ぐホルダーを設けると共に、このホルダー上に上記スイッチ接点を形成した入力装置。
【発明の詳細な説明】
【技術分野】
【０００１】
本発明は、主に自動車の空調や音響機器等の操作に用いられる入力装置に関するものである。
【背景技術】
【０００２】
近年、車室内のフロントパネル部に、様々な操作体を備えた入力装置を配置し、これらによってエアコンやオーディオ等の各種電子機器の操作を行うものが増えている。
【０００３】
このような入力装置について、主にエアコン用の入力装置を例に、図４〜図６を用いて説明する。
【０００４】
図４は従来の入力装置の断面図、図５は同分解斜視図であり、同図において、１は略箱型の下面開口で絶縁樹脂製のケースで、上面の複数の開口孔またはこの開口孔に光透過性のプレート等が嵌め込まれて、複数の透光部１Ａと１Ｂ、１Ｃが形成されると共に、これら透光部１Ａ、１Ｂ、１Ｃの間に設けられた複数の貫通孔１Ｄには、絶縁樹脂製の複数の操作体２が上下動可能に装着されている。
【０００５】
そして、３は上下面に複数の配線パターン（図示せず）が形成された配線基板で、この上面には液晶等の三つの表示素子４Ａと４Ｂ、４Ｃが、上面の表示部をケース１の透光部１Ａ、１Ｂ、１Ｃ下面に向けて、所定間隔で実装配置されると共に、下面にはコネクタ５等の電子部品が実装されている。
【０００６】
また、６はプッシュスイッチ等のスイッチ接点で、複数のスイッチ接点６が表示素子４Ａ、４Ｂ、４Ｃの間の配線基板３上面に実装されると共に、これらの上方へ突出した押釦が複数の操作体２下面に当接している。
【０００７】
さらに、７は絶縁樹脂製のカバーで、このカバー７にねじ８によって配線基板３が固着されると共に、カバー７がケース１の下面開口部を覆い、複数の操作体２や配線基板３がケース１内に収納されて、入力装置が構成されている。
【０００８】
そして、このような入力装置が、図６の正面図に示すように、ケース１の透光部１Ａ、１Ｂ、１Ｃが手前側になるようにして、車室前方のフロントパネル部に装着されると共に、表示素子４Ａ、４Ｂ、４Ｃや複数のスイッチ接点６がコネクタ５やリード線（図示せず）等によって、エアコンやオーディオ等の各種電子機器を制御する自動車の電子回路に電気的に接続される。
【０００９】
以上の構成において、例えば、透光部１Ａ背面の表示素子４Ａには運転席側のエアコンの温度や外気温度が、透光部１Ｂ背面の表示素子４Ｂには時刻が、透光部１Ｃ背面の表示素子４Ｃには助手席側のエアコンの温度が各々表示された状態で、透光部１Ａと１Ｂの間の操作体２Ａを押圧操作すると、この背面のスイッチ接点６の電気的接離が行われ、これを車両の電子回路が検出して、運転席側のエアコンの温度を上げると共に、表示素子４Ａの表示を例えば「２５℃」から「２６℃」に切換える。
【００１０】
また、操作体２Ａ下方の操作体２Ｂを押圧操作すると、同様にこの背面のスイッチ接点６の電気的接離が行われ、これを車両の電子回路が検出して、運転席側のエアコンの温度を下げると共に、表示素子４Ａの表示を例えば「２４℃」に切換え、さらに、透光部１Ｂと１Ｃの間の操作体２Ｃや２Ｄを操作した場合には、助手席側のエアコンの温度や表示素子４Ｃの切換えが行われる。
【００１１】
つまり、配線基板３上面に三つの表示素子４Ａ、４Ｂ、４Ｃを設けると共に、これらの間の各表示素子に関連する複数のスイッチ接点６を配置して入力装置を形成し、各々の操作体２の操作に応じて、運転席側や助手席側のエアコンの温度を切換えると共に、各々の表示素子にその温度の表示を行うように構成されているものであった。
【００１２】
なお、この出願の発明に関連する先行技術文献情報としては、例えば、特許文献１が知られている。
【特許文献１】特開２００６−３２４０８０号公報
【発明の開示】
【発明が解決しようとする課題】
【００１３】
しかしながら、上記従来の入力装置においては、エアコンの温度等を操作する機能に合わせ、複数の表示素子４Ａ、４Ｂ、４Ｃを用いているため、構成部品数が多くなると共に、表示素子は他の部品に比べ高価であるため、装置としても高価なものとなってしまうという課題があった。
【００１４】
本発明は、このような従来の課題を解決するものであり、安価で操作の行い易い入力装置を提供することを目的とする。
【課題を解決するための手段】
【００１５】
上記目的を達成するために本発明は、複数の表示部が形成された表示素子を跨ぐホルダーを設けると共に、このホルダー上に、各表示部の間に配置されるスイッチ接点を形成して入力装置を構成したものであり、他の構成部品に比べ高価な表示素子が一つですみ、装置全体を安価に形成できるため、安価で操作の行い易い入力装置を得ることができるという作用を有するものである。
【発明の効果】
【００１６】
以上のように本発明によれば、安価で操作の容易な入力装置を実現することができるという有利な効果が得られる。
【発明を実施するための最良の形態】
【００１７】
以下、本発明の実施の形態について、主にエアコン用の入力装置を例に、図１〜図３を用いて説明する。
【００１８】
なお、背景技術の項で説明した構成と同一構成の部分には同一符号を付して、詳細な説明を簡略化する。
【００１９】
（実施の形態）
図１は本発明の一実施の形態による入力装置の断面図、図２は同分解斜視図であり、同図において、１１は略箱型の下面開口で絶縁樹脂製のケースで、上面の複数の開口孔またはこの開口孔に光透過性のプレート等が嵌め込まれて、複数の透光部１１Ａと１１Ｂ、１１Ｃが形成されると共に、これら透光部１１Ａ、１１Ｂ、１１Ｃの間に設けられた複数の貫通孔１１Ｄには、絶縁樹脂製の複数の操作体１２が上下動可能に装着されている。
【００２０】
また、３は上下面に複数の配線パターン（図示せず）が形成された配線基板、１４は液晶等の表示素子で、配線基板３上面には表示素子１４が、下面にはコネクタ５等の電子部品が各々実装されると共に、表示素子１４上面にはケース１１の透光部１１Ａ、１１Ｂ、１１Ｃに向けて、複数の表示部１４Ａ、１４Ｂ、１４Ｃが形成されている。
【００２１】
そして、１５は絶縁樹脂製のホルダーで、両端の橋脚部１５Ａが表示素子１４を跨いでこの上方に配置されると共に、上面には複数の配線パターン（図示せず）が形成された配線基板１６が載置され、この配線基板１６と下方の配線基板３が配線シート１７によって、電気的に接続されている。
【００２２】
また、６はプッシュスイッチ等のスイッチ接点で、ケース１１の透光部１１Ａ、１１Ｂ、１１Ｃ間下方の配線基板１６上面に実装されると共に、これらの上方へ突出した押釦が複数の操作体１２下面に当接している。
【００２３】
さらに、７は絶縁樹脂製のカバーで、このカバー７にねじ８によってホルダー１５や配線基板３が固着されると共に、カバー７がケース１１の下面開口部を覆い、複数の操作体１２や配線基板３、ホルダー１５等がケース１１内に収納されて、入力装置が構成されている。
【００２４】
そして、このような入力装置が、図３の正面図に示すように、ケース１１の透光部１１Ａ、１１Ｂ、１１Ｃが手前側になるようにして、車室前方のフロントパネル部に装着されると共に、表示素子１４や複数のスイッチ接点６がコネクタ５やリード線（図示せず）等によって、エアコンやオーディオ等の各種電子機器を制御する自動車の電子回路に電気的に接続される。
【００２５】
以上の構成において、例えば、透光部１１Ａ背面の表示素子１４の表示部１４Ａには運転席側のエアコンの温度や外気温度が、透光部１１Ｂ背面の表示部１４Ｂには時刻が、透光部１１Ｃ背面の表示部１４Ｃには助手席側のエアコンの温度が各々表示された状態で、透光部１１Ａと１１Ｂの間の操作体１２Ａを押圧操作すると、この背面のスイッチ接点６の電気的接離が行われ、これを車両の電子回路が検出して、運転席側のエアコンの温度を上げると共に、表示部１４Ａの表示を例えば「２５℃」から「２６℃」に切換える。
【００２６】
また、操作体１２Ａ下方の操作体１２Ｂを押圧操作すると、同様にこの背面のスイッチ接点６の電気的接離が行われ、これを車両の電子回路が検出して、運転席側のエアコンの温度を下げると共に、表示部１４Ａの表示を例えば「２４℃」に切換え、さらに、透光部１１Ｂと１１Ｃの間の操作体１２Ｃや１２Ｄを操作した場合には、助手席側のエアコンの温度や表示部１４Ｃの切換えが行われる。
【００２７】
つまり、運転席側の表示部１４Ａと１４Ｂの間に操作体１２Ａと１２Ｂ、助手席側の表示部１４Ｂと１４Ｃの間に操作体１２Ｃと１２Ｄを各々配置し、各々の操作体１２の操作に応じて、運転席側や助手席側のエアコンの温度を切換えると共に、各々の表示素子にその温度の表示を行うようになっているが、本発明における入力装置は、一つの表示素子１４から構成されている。
【００２８】
すなわち、本発明においては、上面に複数の透光部１１Ａ、１１Ｂ、１１Ｃが形成されたケース１１の下方に、透光部１１Ａ、１１Ｂ、１１Ｃに向けて、複数の表示部１４Ａ、１４Ｂ、１４Ｃが形成された一つの表示素子１４を配置すると共に、この表示素子１４を跨ぐホルダー１５を設け、このホルダー１５上に、各表示部の間に配置される複数のスイッチ接点６が形成されている。
【００２９】
したがって、他の構成部品に比べ高価な表示素子が一つですみ、装置全体を安価に形成できると共に、複数のスイッチ接点６が各々関連する表示部の近傍に配置されているため、誤操作がなく容易に操作が行えるようになっている。
【００３０】
このように本実施の形態によれば、複数の表示部１４Ａ、１４Ｂ、１４Ｃが形成された表示素子１４を跨ぐホルダー１５を設けると共に、このホルダー１５上に、各表示部の間に配置される複数のスイッチ接点６を形成することによって、他の構成部品に比べ高価な表示素子が一つですみ、装置全体を安価に形成できるため、安価で操作の行い易い入力装置を得ることができるものである。
【００３１】
なお、以上の説明では、車両の電子回路が、操作体１２の押圧操作によるスイッチ接点６の電気的接離を検出して、エアコンの温度制御や表示素子１４の表示を切換える構成について説明したが、配線基板３にマイコン等の制御回路を設け、この制御回路がスイッチ接点６の電気的接離を検出して、表示素子１４の表示を切換えると共に、エアコン等へ操作信号を出力してこれらを制御する構成としても、本発明の実施は可能である。
【００３２】
また、以上の説明では入力装置を、主にエアコン操作に用いた場合について説明したが、コンパクトディスクやカーラジオ等のオーディオ機器の操作等に用いても本発明の実施は可能である。
【産業上の利用可能性】
【００３３】
本発明による入力装置は、安価で操作の行い易いものを実現することができ、主に自動車の空調や音響機器等の操作用として有用である。
【図面の簡単な説明】
【００３４】
【図１】本発明の一実施の形態による入力装置の断面図
【図２】同分解斜視図
【図３】同正面図
【図４】従来の入力装置の断面図
【図５】同分解斜視図
【図６】同正面図
【符号の説明】
【００３５】
３  配線基板
５  コネクタ
６  スイッチ接点
７  カバー
８  ねじ
１１  ケース
１１Ａ、１１Ｂ、１１Ｃ  透光部
１１Ｄ  貫通孔
１２、１２Ａ、１２Ｂ、１２Ｃ、１２Ｄ  操作体
１４  表示素子
１４Ａ、１４Ｂ、１４Ｃ  表示部
１５  ホルダー
１５Ａ  橋脚部
１６  配線基板
１７  配線シート
【図１】
2009026513.tif 000003
【図２】
2009026513.tif 000004
【図３】
2009026513.tif 000005
【図４】
2009026513.tif 000006
【図５】
2009026513.tif 000007
【図６】
2009026513.tif 000008